(57)【要約】
【課題】  その上に複数の係脱自在のマッサージ部材が設けられると共に、弾性と通気性を有するマッサージマットを提供する。
【解決手段】  前後及び左右に互いに対応する位置決めブロック（２０）が設けられると共に、これらの位置決めブロック（２０）の間に数本の弾性紐状体（６０）が直交するように設けられるフレーム（１０）と、該弾性紐状体（６０）に設けられる複数のマッサージ部材（３）と、該弾性紐状体（６０）の交差個所に設けられる複数の固定座（７）と、該フレーム（１０）に設置される通気性と弾性を有するカバー（８０）とを有することを特徴とする。
【選択図】  図２
0003100619.tif 000002
【実用新案登録請求の範囲】
【請求項１】
前後及び左右に互いに対応する位置決めブロック（２０）が設けられると共に、これらの位置決めブロック（２０）の間に複数本の弾性紐状体（６０）が直交するように設けられるフレーム（１０）と、該弾性紐状体（６０）に設けられる複数のマッサージ部材（３）と、該弾性紐状体（６０）の交差個所に設けられる複数の固定座（７）と、該フレーム（１０）に設置される通気性と弾性を有するカバー（８０）とを有することを特徴とするマッサージマット。
【請求項２】
前記マッサージ部材（３）はケース（３０）と、マッサージプレート（４０）と、震動部材（５０）とを有し、ケース（３０）はねじ（３３）によって第一ケース（３１）と第二ケース（３２）を組合せる中空体であり、マッサージプレート（４０）は前記ねじ（３３）によって第二ケース（３２）の外側に設けられ、第二ケース（３２）とマッサージプレート（４０）の対向側に弾性紐状体（６０）を収容するための収容溝（３２３）（４４）が形成されることにより、マッサージ部材（３）が弾性紐状体（６０）に設けられ、
前記震動部材（５０）はケース（３０）の内部に設けられる、モータ（５１）と該モータ（５１）の心軸に設けられる偏心ブロック（５２）を備え、又、第一ケース（３１）と第二ケース（３２）の内部にモータ（５１）を固定するためリブ（３１２）（３２２）が設けられることを特徴とする請求項１に記載のマッサージマット。
【請求項３】
前記ケース（３０）に対面するマッサージプレート（４０）の一側にねじ孔（４３）を有する係合ロッド（４２）が設けられ、ケース（３０）の第二ケース（３２）に該係合ロッド（４２）と対応する貫通孔（３２１）が形成され、第一ケース（３１）に係合ロッド（４２）のねじ孔（４３）と対応する貫通孔（３１１）が形成され、ねじ（３３）が貫通孔（３１１）とねじ孔（４３）を貫通することにより、マッサージプレート（４０）と第一ケース（３１）と第二ケース（３２）を組合せ、
前記ケース（３０）の第二ケース（３２）とマッサージプレート（４０）に互いに対応する係合凹部（３２４）と係合凸部（４５）が形成されることにより、弾性紐状体（６０）を固定させる効果を向上することを特徴とする請求項２に記載のマッサージマット。
【考案の詳細な説明】
【技術分野】
【０００１】
本考案は、特にその上に複数の係脱自在のマッサージ部材が設けられると共に、弾性と通気性を有するマッサージマットに関するものである。
【背景技術】
【０００２】
従来のマッサージマットは該マットの内部に複数の平行のローラー組が設けられ、該ローラー組は異なる形状と間隔を有する複数のローラーを有することにより、人体の頚部、背部、腰部、臀部、腿部に対してマッサージを行うことができる。
【考案の開示】
【考案が解決しようとする課題】
【０００３】
しかしながら、上記従来のマッサージマットにおける一部のマッサージ部材が損壊すると、全体のマッサージ部材を取り外した後、修理することができるので、非常に面倒であり、又、該マットに設けられる従来のカバーは通気性が悪いので、使用中、通気不良の不快感を発生しやすい。
【０００４】
そこで、案出されたのが本考案であって、その上に複数の係脱自在のマッサージ部材が設けられると共に、弾性と通気性を有するマッサージマットを提供することを目的としている。
【課題を解決するための手段】
【０００５】
本願の請求項１の考案は、前後及び左右に互いに対応する位置決めブロック（２０）が設けられると共に、これらの位置決めブロック（２０）の間に複数本の弾性紐状体（６０）が直交するように設けられるフレーム（１０）と、該弾性紐状体（６０）に設けられる複数のマッサージ部材（３）と、該弾性紐状体（６０）の交差個所に設けられる複数の固定座（７）と、該フレーム（１０）に設置される通気性と弾性を有するカバー（８０）とを有することを特徴とするマッサージマット及び、
本願の請求項２の考案は、前記マッサージ部材（３）はケース（３０）と、マッサージプレート（４０）と、震動部材（５０）とを有し、ケース（３０）はねじ（３３）によって第一ケース（３１）と第二ケース（３２）を組合せる中空体であり、マッサージプレート（４０）は前記ねじ（３３）によって第二ケース（３２）の外側に設けられ、第二ケース（３２）とマッサージプレート（４０）の対向側に弾性紐状体（６０）を収容するための収容溝（３２３）（４４）が形成されることにより、マッサージ部材（３）が弾性紐状体（６０）に設けられ、
前記震動部材（５０）はケース（３０）の内部に設けられる、モータ（５１）と該モータ（５１）の心軸に設けられる偏心ブロック（５２）を備え、又、第一ケース（３１）と第二ケース（３２）の内部にモータ（５１）を固定するためリブ（３１２）（３２２）が設けられることを特徴とする請求項１に記載のマッサージマット及び、
本願の請求項３の考案は、前記ケース（３０）に対面するマッサージプレート（４０）の一側にねじ孔（４３）を有する係合ロッド（４２）が設けられ、ケース（３０）の第二ケース（３２）に該係合ロッド（４２）と対応する貫通孔（３２１）が形成され、第一ケース（３１）に係合ロッド（４２）のねじ孔（４３）と対応する貫通孔（３１１）が形成され、ねじ（３３）が貫通孔（３１１）とねじ孔（４３）を貫通することにより、マッサージプレート（４０）と第一ケース（３１）と第二ケース（３２）を組合せ、
前記ケース（３０）の第二ケース（３２）とマッサージプレート（４０）に互いに対応する係合凹部（３２４）と係合凸部（４５）が形成されることにより、弾性紐状体（６０）を固定させる効果を向上することを特徴とする請求項２に記載のマッサージマット、を提供する。
【考案の効果】
【０００６】
本考案は上記の課題を解決するものであり、フレームに設けられる交差の弾性紐状体に独立なマッサージ部材と固定座が設けられることにより、一部のマッサージ部材のみを交換することができ、又、優れた通気性と弾性を有するカバーがマットのフレームにカバーすることにより、従来のマットによる発生する通気不良の不快感を防止することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係るマッサージマットとカバーを示す分解斜視図であり、図２は本考案に係るマッサージマットの斜視図であり、図３は本考案に係るマッサージマットのマッサージ部材の分解斜視図であり、図４は本考案に係るマッサージマットの固定座の分解斜視図である。
【０００９】
図１及び図２に示すように、本考案に係るマッサージマット（１）は前後及び左右に互いに対応する位置決めブロック（２０）が設けられると共に、これらの位置決めブロック（２０）の間に複数本の弾性紐状体（６０）が直交するように設けられるフレーム（１０）と、該弾性紐状体（６０）に設けられる複数のマッサージ部材（３）と、該弾性紐状体（６０）の交差個所に設けられる複数の固定座（７）と、該フレーム（１０）に設置される通気性と弾性を有するカバー（８０）とを有する。
【００１０】
図３に示すように、前記マッサージ部材（３）はケース（３０）と、マッサージプレート（４０）と、震動部材（５０）とを有し、ケース（３０）はねじ（３３）によって第一ケース（３１）と第二ケース（３２）を組合せる中空体であり、マッサージプレート（４０）は前記ねじ（３３）によって第二ケース（３２）の外側に設けられ、第二ケース（３２）とマッサージプレート（４０）の対向側に弾性紐状体（６０）を収容するための収容溝（３２３）（４４）が形成されることにより、マッサージ部材（３）が弾性紐状体（６０）に設けられる。
【００１１】
前記震動部材（５０）はケース（３０）の内部に設けられる、モータ（５１）と該モータ（５１）の心軸に設けられる偏心ブロック（５２）を備え、又、第一ケース（３１）と第二ケース（３２）の内部にモータ（５１）を固定するためリブ（３１２）（３２２）が設けられる。
【００１２】
前記ケース（３０）に対面するマッサージプレート（４０）の一側にねじ孔（４３）を有する係合ロッド（４２）が設けられ、ケース（３０）の第二ケース（３２）に該係合ロッド（４２）と対応する貫通孔（３２１）が形成され、第一ケース（３１）に係合ロッド（４２）のねじ孔（４３）と対応する貫通孔（３１１）が形成され、ねじ（３３）が貫通孔（３１１）とねじ孔（４３）を貫通することにより、マッサージプレート（４０）と第一ケース（３１）と第二ケース（３２）を組合せる。
【００１３】
又、前記マッサージプレート（４０）にマッサージ部（４１）が設けられ、該マッサージ部（４１）とマッサージプレート（４０）がプラスチックによって一体形成に製造されても良く、或いはマッサージプレート（４０）が硬質のプラスチックにより、マッサージ部（４１）が軟質のプラスチックによって製造されても良い。
【００１４】
前記ケース（３０）の第二ケース（３２）とマッサージプレート（４０）に互いに対応する係合凹部（３２４）と係合凸部（４５）が形成されることにより、弾性紐状体（６０）を固定させる効果を向上する。
【００１５】
又、図４に示すように、フレーム（１０）の前後及び左右に弾性紐状体（６０）が設けられ、これら弾性紐状体（６０）の交差個所に上固定部（７１）と下固定部（７２）を有する固定座（７）が設けられ、上固定部（７１）と下固定部（７２）に互いに対応する縦凸部（７１１）と縦凹部（７２６）、及び横凹部（７１７）と横凸部（７２１）が設けられると共に、縦凸部（７１１）に磁石（７１３）を有する溝（７１２）が形成され、該溝（７１２）の両側に弾性紐状体（６０）を収容するための収容溝（７１４）が形成され、縦凹部（７２６）に収容溝（７１４）と対応する収容溝（７２８）が形成されることにより、弾性紐状体（６０）を収容溝（７１４）（７２８）に収容させ、又、下固定部（７２）と上固定部（７１）にねじ孔（７２７）（７１９）が形成されると共に、ねじがねじ孔（７２７）（７１９）を貫通することにより、上固定部（７１）と下固定部（７２）を互いに固定する。
【００１６】
又、上固定部（７１）の縦凸部（７１１）が収容溝（７１８）を有する横凹部（７１７）によって離間されると共に、縦凸部（７１１）の両側に係合孔（７１６）を有する凹部（７１５）が形成され、下固定部（７２）の縦凹部（７２６）の両側に磁石（７２３）を備える溝（７２２）を有する横凸部（７２１）が設けられると共に、溝（７２２）の両側に収容溝（７１８）と対応する収容溝（７２４）が形成されることにより、弾性紐状体（６０）が収容溝（７１８）（７２４）の内部に収容され、又、収容溝（７２４）の側に上固定部（７１）の係合孔（７１６）と係合する係合ロッド（７２５）が設けられる。
【産業上の利用可能性】
【００１７】
本考案は上記の構成を有するので、フレームに設けられる交差の弾性紐状体に独立なマッサージ部材と固定座が設けられることにより、一部のマッサージ部材のみを交換することができ、又、優れた通気性と弾性を有するカバーがマットのフレームにカバーすることにより、従来のマットによる発生する通気不良の不快感を防止することができる。
【図面の簡単な説明】
【００１８】
【図１】本考案に係るマッサージマットとカバーを示す分解斜視図である。
【図２】本考案に係るマッサージマットの斜視図である。
【図３】本考案に係るマッサージマットのマッサージ部材の分解斜視図である。
【図４】本考案に係るマッサージマットの固定座の分解斜視図である。
【符号の説明】
【００１９】
１          マッサージマット
１０        フレーム
２０        位置決めブロック
３          マッサージ部材
３１        第一ケース
３１１      貫通孔
３１２      リブ
３２        第二ケース
３２１      貫通孔
３２２      リブ
３２３      収容溝
３２４      係合凹部
３３        ねじ
４０        マッサージプレート
４１        マッサージ部
４２        係合ロッド
４３        ねじ孔
４４        収容溝
４５        係合凸部
５０        震動部材
５１        モータ
５２        偏心ブロック
６０        弾性紐状体
７          固定座
７１        上固定部
７１１      縦凸部
７１２      溝
７１３      磁石
７１４      収容溝
７１５      凹部
７１６      係合孔
７１７      横凹部
７１８      収容溝
７１９      ねじ孔
７２        下固定部
７２１      横凸部
７２２      溝
７２３      磁石
７２４      収容溝
７２５      係合ロッド
７２６      縦凹部
７２７      ねじ孔
７２８      収容溝
８０        カバー
【図１】
0003100619.tif 000003
【図２】
0003100619.tif 000004
【図３】
0003100619.tif 000005
【図４】
0003100619.tif 000006